(57)【要約】【課題】  本発明は、自分のマッサージしたいツボにあてがい、自分の身体を押し付けることで、そのツボが押圧されるように出来る可撓性マッサージ具及びそれを備えた可撓性マッサージ具セットを提供することを可能にすることを目的としている。【解決手段】  弾力性を有すると共に長方形で携帯可能なベース板１と、該ベース板１の表面側の縦横にそれぞれ所定ピッチで設けられ、弾力性を有すると共に先端形状が凸曲面で構成され、且つ形状及び寸法が同一とされる複数の突起部２とを有することを特徴とする可撓性マッサージ具Ａ，Ｂとして構成したことを特徴とする。【選択図】      図１
2011062509.tif 000002
【特許請求の範囲】
【請求項１】
弾力性を有すると共に長方形で携帯可能なベース板と、
前記ベース板の表面側の縦横にそれぞれ所定ピッチで設けられ、弾力性を有すると共に先端形状が凸曲面で構成され、且つ形状及び寸法が同一とされる複数の突起部と、
を有することを特徴とする可撓性マッサージ具。
【請求項２】
前記突起部の縦列は２列で、その縦列ピッチを６０ｍｍ以上、且つ９０ｍｍ以下とし、該突起部の横列は３列以上、且つ８列以下とし、その横列ピッチを４０ｍｍ以上、且つ８０ｍｍ以下としたことを特徴とする請求項１に記載の可撓性マッサージ具。
【請求項３】
前記ベース板には被固定面に着脱可能に装着し得る装着手段を設けたことを特徴とする請求項１または請求項２に記載の可撓性マッサージ具。
【請求項４】
前記突起部が中実で形成されると共に、該突起部の直下で前記ベース板の裏面側に前記突起部に向かって突状の凹部が形成されたことを特徴とする請求項１〜３の何れか１項に記載の可撓性マッサージ具。
【請求項５】
前記突起部の縦列ピッチと横列ピッチのうちの少なくとも何れかが異なる請求項１〜４の何れか１項に記載の可撓性マサージ具を複数組み合わせたことを特徴とする可撓性マサージ具セット。
【発明の詳細な説明】
【技術分野】
【０００１】
本発明は、身体のツボを指圧してマッサージを行う可撓性マッサージ具及びそれを備えた可撓性マッサージ具セットに関するものである。
【背景技術】
【０００２】
従来、一般に市販されているマッサージ具や健康器具は、指圧する突起部の間隔が密（単位面積当たりの突起部の数が極めて多い）であるため、ツボ近辺のツボ以外を指圧してしまい、肝心のツボを目掛けて指圧し難いという問題があった。特に可搬性が有り、浴槽内で簡単にマッサージできるマッサージ具が望まれていた。マッサージ具の一例として以下の特許文献１〜５が提案されている。
【先行技術文献】
【特許文献】
【０００３】
【特許文献１】特開平１１−４７２２８号公報
【特許文献２】特許第３８０３６８５号公報
【特許文献３】実用新案登録第３１０２５３４号公報
【特許文献４】実用新案登録第３０６７２８７号公報
【特許文献５】実用新案登録第３１３９６２８号公報
【発明の概要】
【発明が解決しようとする課題】
【０００４】
しかしながら、特許文献１の技術では、畳や床、椅子の背に背筋押圧健康器具を置いて、支持台の上面に立設した先端を半球状に形成した高さの異なる複数の木製凸状体により背中のツボや背筋全体に心地よい刺激を与えるものでマッサージを意図するものではなかった。また、特許文献２の技術では、浴槽用に吸盤を付けた健康器具でアーチ状のプレートに複数の突起が設けられ首や足の裏を指圧するもので、アーチ状に対応した身体の部分にしか使用できなかった。また、特許文献３の技術では、基板と突起がゴム製で首の両端部分の突起が高く中心になるにつれて低くなっているもので、首にしか使用できなかった。また、特許文献４の技術では、ゴム製の円型置でソフトな突起部分を有して足裏のツボを指圧するもので、足裏にしか使用できなかった。また、特許文献５の技術では、対をなす指圧用突起の上面に適度に柔らかいグミ状の樹脂皮膜を載せたもので、２点の指圧しかできなかった。
【０００５】
本発明は前記課題を解決するものであり、その目的とするところは、自分のマッサージしたいツボにあてがい、自分の身体を押し付けることで、そのツボが押圧されるように出来る可撓性マッサージ具及びそれを備えた可撓性マッサージ具セットを提供せんとするものである。
【課題を解決するための手段】
【０００６】
前記目的を達成するための本発明に係る可撓性マッサージ具の第１の構成は、弾力性を有すると共に長方形で携帯可能なベース板と、前記ベース板の表面側の縦横にそれぞれ所定ピッチで設けられ、弾力性を有すると共に先端形状が凸曲面で構成され、且つ形状及び寸法が同一とされる複数の突起部とを有することを特徴とする。
【０００７】
また、本発明に係る可撓性マッサージ具の第２の構成は、前記第１の構成において、前記突起部の縦列は２列で、その縦列ピッチを６０ｍｍ以上、且つ９０ｍｍ以下とし、該突起部の横列は３列以上、且つ８列以下とし、その横列ピッチを４０ｍｍ以上、且つ８０ｍｍ以下としたことを特徴とする。
【０００８】
また、本発明に係る可撓性マッサージ具の第３の構成は、前記第１、第２の構成において、前記ベース板には被固定面に着脱可能に装着し得る装着手段を設けたことを特徴とする。
【０００９】
また、本発明に係る可撓性マッサージ具の第４の構成は、前記第１〜第３の構成において、前記突起部が中実で形成されると共に、該突起部の直下で前記ベース板の裏面側に前記突起部に向かって突状の凹部が形成されたことを特徴とする。
【００１０】
また、本発明に係る可撓性マサージ具セットは、前記突起部の縦列ピッチと横列ピッチのうちの少なくとも何れかが異なる前記第１〜第３の構成の可撓性マサージ具を複数組み合わせたことを特徴とする。
【発明の効果】
【００１１】
本発明に係る可撓性マサージ具の第１の構成によれば、弾力性を有する可撓性のベース板を種々の形状の異なる浴槽内の壁面に沿って取り付けることが出来、弾力性を有する柔らかい突起部が皮膚に優しく心地良い。また、複数の突起部が同一形状、同一寸法であるため生産性が良く商品種類を少なく出来、生産効率を向上することが出来る。また、突起部の先端形状が凸曲面であるため指圧師の指の触覚に近く、心地良いマッサージが出来る。
【００１２】
本発明に係る可撓性マサージ具の第２の構成によれば、単位面積当たりの突起部の数及び配列がツボの指圧にとって適切な数及び配列とすることが出来、ツボにめがけて効果的なマッサージが出来る。
【００１３】
本発明に係る可撓性マサージ具の第３の構成によれば、装着手段によって可撓性マッサージ具を浴槽内の壁面等に容易に仮止めすることが出来、可撓性マッサージ具が浴槽内で浮いたり踊ったりすることがない。
【００１４】
本発明に係る可撓性マサージ具の第４の構成によれば、突起部が中実で形成され、該突起部の直下でベース板の裏面側に凹部が形成されたことで、弾力性を有する突起部を押圧して可撓性のベース板を浴槽内の壁面等に押し付けることにより該突起部直下の凹部内が負圧となって吸盤作用が働き、可撓性マッサージ具を浴槽内の壁面等に容易に仮止めすることが出来、吸着作用をより高めることが出来る。
【００１５】
本発明に係る可撓性マサージ具セットの構成によれば、突起部の縦列ピッチや横列ピッチが異なる可撓性マサージ具を複数組み合わせることにより身体の種々のツボに対応することが出来、身体の大小や男女差によるツボのピッチの違いに応じて適宜選択的に使用することが出来る。２箇所〜４箇所のツボを同時に押圧することが好ましく、そのために突起部の縦列ピッチや横列ピッチが異なる可撓性マサージ具を複数組み合わせてセットにすれば便利であり、商品の付加価値が上がり、購買意欲を高めることが出来る。
【図面の簡単な説明】
【００１６】
【図１】本発明に係る可撓性マッサージ具を備えた可撓性マッサージ具セットの第１実施形態の一例を示す４面図である。
【図２】（ａ）は図１（ａ）のＣ−Ｃ断面図、（ｂ）は図１（ａ）のＤ−Ｄ断面図、（ｃ），（ｄ）はベース板に紐部材を締結し、吸盤を取り付ける様子を示す図である。
【図３】突起部を背中に対向当接させた状態で両手で紐部材を前方に引いてベース板を撓ませ自分の身体のツボに突起部が当たる位置に可撓性マッサージ具を位置合わせする様子を示す平面図である。
【図４】（ａ）は突起部を背中に対向当接させた状態で両手で紐部材を前方に引いてベース板を撓ませ自分の身体のツボに突起部が当たる位置に可撓性マッサージ具を位置合わせする様子を示す側面図、（ｂ）は可撓性マッサージ具を位置合わせしながら、背中を浴槽の壁面にもたれさせることでベース板の裏面側に設けられた吸盤が浴槽の壁面に吸着されてベース板が被固定面に装着した後に可撓性マッサージ具を使用する状態を示す側面図である。
【図５】（ａ），（ｂ）は背中に対してベース板の長手方向を縦向きにして背骨に沿ったツボに対して使用する様子を示す背面図及び側面図である。
【図６】（ａ）は本発明に係る可撓性マッサージ具の第２実施形態の構成を示す平面説明図、（ｂ）は図６（ａ）のＥ−Ｅ断面図である。
【発明を実施するための形態】
【００１７】
図により本発明に係る可撓性マッサージ具及びそれを備えた可撓性マッサージ具セットの一実施形態を具体的に説明する。
【実施例１】
【００１８】
先ず、図１〜図５を用いて本発明に係る可撓性マッサージ具を備えた可撓性マッサージ具セットの第１実施形態の構成について説明する。図１において、１は弾力性を有すると共に可撓性を有するゴム製、軟質な合成樹脂製で長方形に形成され、携帯可能な重量及び大きさに製作されたベース板である。ベース板１は厚さ３ｍｍ以上、且つ４ｍｍ以下に設定され、幅（短手方向）は１２０ｍｍ以上、且つ１６０ｍｍ以下に設定され、長さ（長手方向）は３００ｍｍ以上、且つ４５０ｍｍ以下に設定される。
【００１９】
ベース板１の幅（短手方向）は１４０ｍｍ以上、且つ１６０ｍｍ以下がより好ましいが、突起部２がベース板１と一体成型された場合にはベース板１の幅（短手方向）を１２０ｍｍ程度とすることが出来る。ベース板１の幅（短手方向）が１６０ｍｍよりも大きいと可搬性が悪く、図３に示す浴槽内の壁面５等の被固定面に着脱し難くなる。
【００２０】
一方、ベース板１の長さ（長手方向）が３００ｍｍよりも小さい場合には、身体のツボを押圧するための十分な突起部２の数や配置を確保することができなくなり、ベース板１の長さ（長手方向）が４５０ｍｍよりも大きいと可搬性が悪く、図３に示す浴槽内の壁面５等の被固定面に着脱し難くなる。
【００２１】
ベース板１の表面側の縦横にはそれぞれ所定ピッチで複数の突起部２が設けられる。突起部２はゴム製、軟質な合成樹脂製で弾力性を有すると共に先端形状が凸曲面で構成され、且つ全ての突起部２の形状及び寸法は同一とされる。
【００２２】
複数の突起部２とベース板１とはそれぞれ別体で作成された後、接着や溶着などにより固定されたものでも良いが、はじめから両者を一体成型して作成しても良い。ベース板１と突起部２とを一体成型した場合には、図２（ａ），（ｂ）に示すように、該ベース板１と突起部２との境界部が連続した曲面部２ｃとされ、これによりベース板１と突起部２との境界部にゴミや垢が付着することがなく衛生的である。また、曲面部２ｃとすることで入隅部を無くすことが出来、その部位に汚れが付きにくく、清掃し易い。曲面部２ｃは例えば半径２ｍｍの円弧状で構成することが出来る。
【００２３】
ベース板１と突起部２の材質は、柔軟性、自在性があるゴムやシリコン樹脂、ポリウレタンエラストマー等の高弾性素材が好ましい。特に、シリコンゴム、ＮＢＲ（Nitolile butajien rubber；ニトリル・ブタジエン・ゴム）、ＥＰＰ（Ethylen propylene；エチレンプロピレン共重合体）が好ましく、それらの硬度は、６５以上、且つ７０以下が好ましい。また、突起部２の材質は遊戯用に供されるスーパーボールの原料となる天然ゴムラテックス（ゴムの木に傷をつけたときでる白い樹液で、薄い酸を加えるとゴム成分が凝固して分離する）製でも適用でき、例えば株式会社レヂテックス製の「ＮＲ ＬＡＴＥＸ」（商品名）が好適である。このように突起部２をシリコンゴム、ＮＢＲ、ＥＰＰ、或いは天然ゴムラテックス製とすることにより、その弾性力により指圧師の人指感覚に類似した柔軟且つ自在性を発揮することが出来、身体に優しく心持が良い。
【００２４】
突起部２として適用可能な材質としては、弾性のある高分子材料が好ましく、その弾性率は１ＭＰａ以上、且つ１０ＭＰａ以下が好ましい。特に合成ゴムが加工性の良さや低価格であることから好ましい。強度が高く弾性のある材料としてはウレタン系ゴムでゴム硬度指標1〜１００程度が好ましい。ゴム硬度指標の更に好ましい値は６０〜９０が最適である。
【００２５】
突起部２の縦列（図１の上下方向の列）は２列で、その縦列ピッチＰａを６０ｍｍ以上、且つ９０ｍｍ以下とし、該突起部２の横列（図１の左右方向の列）は３列以上、且つ８列以下とし、その横列ピッチＰｂを４０ｍｍ以上、且つ８０ｍｍ以下に設定することが出来る。
【００２６】
図１（ａ）に示す可撓性マッサージ具Ａはベース板１の幅（図１の左右方向の長さ寸法）を１５０ｍｍとし、２列の突起部２の縦列ピッチＰａを８０ｍｍとし、それぞれの突起部２の中心から直近のベース板１の幅方向端部までの距離を３５ｍｍとし、ベース板１の長さ（図１の上下方向の長さ寸法）を４２０ｍｍとし、６列の突起部２の横列ピッチＰｂを７０ｍｍとし、最端部の突起部２の中心から直近のベース板１の長さ方向端部までの距離を３５ｍｍとして設定した一例である。
【００２７】
また、図１（ｂ）に示す可撓性マッサージ具Ｂはベース板１の幅（図１の左右方向の長さ寸法）を１４０ｍｍとし、２列の突起部２の縦列ピッチＰａを７０ｍｍとし、それぞれの突起部２の中心から直近のベース板１の幅方向端部までの距離を３５ｍｍとし、ベース板１の長さ（図１の上下方向の長さ寸法）を３２０ｍｍとし、６列の突起部２の横列ピッチＰｂを５０ｍｍとし、最端部の突起部２の中心から直近のベース板１の長さ方向端部までの距離を３５ｍｍとして設定した一例である。
【００２８】
図１に示す可撓性マッサージ具Ａ，Ｂは突起部２の縦列ピッチＰａと横列ピッチＰｂのうちの少なくとも何れかが異なる構成とされ、このような可撓性マサージ具Ａ，Ｂを複数組み合わせて可撓性マサージ具セットとされる。例えば、一方の可撓性マッサージ具Ａの２列の突起部２の縦列ピッチＰａを７５ｍｍ以上、且つ８５ｍｍ以下とし、５列または６列の突起部２の横列ピッチＰｂを６５ｍｍ以上、且つ７５ｍｍ以下とし、他方の可撓性マッサージ具Ｂの２列の突起部２の縦列ピッチＰａを６５ｍｍ以上、且つ７５ｍｍ以下とし、５列または６列の突起部２の横列ピッチＰｂを４５ｍｍ以上、且つ５５ｍｍ以下とすることが出来る。
【００２９】
また、図２（ａ），（ｂ）に示すように、本実施形態の突起部２の本体部２ａは円柱状とされベース板１の表面に対して垂直に起立している。また、突起部２の先端部２ｂの形状は半球状とされる。突起部２のベース板１の表面１ａからの高さｈが２２ｍｍ以上、且つ２５ｍｍ以下に設定され、該突起部２の直径ｄが２２ｍｍ以上、且つ２５ｍｍ以下に設定される。本実施形態では高さｈ及び直径ｄを２２ｍｍに設定した一例である。本実施形態の突起部２の先端部２ｂは指圧師の親指に似せてあるため身体のツボの押圧の心地良さを与えることが出来る。突起部２の径寸法が小さいと痛みを感じたり不快感を与えることがあり、突起部２の径寸法が大きいと身体のツボの押圧の心地良さを失う。
【００３０】
ベース板１には例えば、図３〜図５に示す浴槽内の壁面５等の被固定面に着脱可能に装着し得る装着手段となる吸盤３が設けられている。本実施形態のベース板１には、図２（ｃ），（ｄ）に示すように、円形孔１ｂ１にスリット穴１ｂ２が連続された挿入穴１ｂが貫通して設けてあり、吸盤３の軸部３ａを円形孔１ｂ１から挿入して該軸部３ａをスリット穴１ｂ２にスライドさせることにより、吸盤３がベース板１に装着固定される。吸盤３は例えばレック株式会社製の「レックスペア吸盤５号（商品名）」を使用することが出来る。尚、ベース板１と突起部２と吸盤３とを天然ゴムラテックス製等として一体成型することでも良い。
【００３１】
ベース板１は弾力性を有して可撓性としたことにより、図３〜図５に示すように浴槽の湾曲した壁面５に沿って容易に且つ安定して取り付けることが出来る。装着手段となる吸盤３は浴槽内の湯の中で位置をずらして移動させ易い。
【００３２】
ベース板１の長手方向（図１の上下方向）の両端部には貫通孔１ｃが設けられており、この貫通孔１ｃに紐部材４が締結されている。そして、図３に示すように、突起部２を首、背中、腰等に対向当接させた状態で両手で紐部材４を前方に引いてベース板１を撓ませ自分の身体のツボに突起部２が当たる位置に可撓性マッサージ具Ａ（Ｂ）を位置合わせしながら、首、背中、腰等を浴槽の壁面５にもたれさせることでベース板１の裏面側に設けられた吸盤３が浴槽の壁面５に吸着されてベース板１が被固定面に装着される。ベース板１の位置を変えたい場合には両手で紐部材４を引っ張って吸盤３を浴槽の壁面５から引き剥がし、同様にしてベース板１の固定位置の調整が容易に出来る。そして、ベース板１を首筋のツボ、背中の背骨の近傍のツボ、腰のツボ等に対して最適な位置に移動してから突起部２に背中を押し付け身体を揺らすことで入浴時に背中の複数のツボを同時に指圧しつつマッサージすることが出来る。
【００３３】
尚、図３〜図５では、首、腰に対してはベース板１の長手方向を横向きにして使用した一例を示し、背中に対してはベース板１の長手方向を縦向きにして背骨に沿ったツボに対して使用した一例を示す。
【００３４】
上記可撓性マッサージ具Ａ，Ｂによれば、あたかも指圧師の指圧のように身体のツボに心地良い刺激と治癒を与え、ツボに連なる臓器などを癒す一助になる。さらに図４（ｂ）及び図５に示すように浴槽で使用することで入浴とあいまって心身ともに心地良い刺激が与えられる。突起部２の高さや太さに加えて単位面積当たりの突起部２の数が少ないことで身体とベース板１と突起部２との間の間隔が確保出来るためこの空間に浴槽内の湯の流れを得ることが出来、身体をより温めることが可能となる。その結果、身体のツボ近辺の血行も良くなりマッサージ効果が増大する。
【００３５】
また、可撓性マッサージ具Ａ（Ｂ）は、首、背中、腰以外にも身体の各部位の指圧マッサージに利用することも出来、浴槽以外にも椅子の背もたれや床の上で使用することも出来る。そして、自分のマッサージしたい身体のツボに突起部２をあてがい、自分の身体を押し付けることで、そのツボが押圧されるように出来る。特に血行が良くなる入浴時に浴槽内で指圧マッサージしたい複数のツボに容易にあてがうことが出来る。また、既存の浴槽でも使用でき、体型によって可撓性マッサージ具Ａ，Ｂの寸法を適宜選択でき、更に指圧マッサージしたい複数のツボを同時にあてがうことが出来る。また、あてがう位置の変更が容易に出来、しかも携帯できるため移動が容易である。
【実施例２】
【００３６】
次に、図６を用いて本発明に係る可撓性マッサージ具を備えた可撓性マッサージ具セットの第２実施形態の構成について説明する。尚、前記第１実施形態と同様に構成したものは同一の符号を付して説明を省略する。
【００３７】
本実施形態では、図６に示すように、弾力性を有するベース板１の表面１ａ側に設けられる弾力性を有する突起部２が中実（中身が詰まっていて中空部が無い状態）で形成されると共に、該突起部２の直下で該ベース板１の裏面１ｄ側に該突起部２に向かって突状（図６（ｂ）では上に突形状）の凹部１ｅが形成される。また、突起部２とベース板１の表面１ａとの境界周縁の全周に亘って肉厚部２ｄが形成されている。
【００３８】
本実施形態では、東レ・ダウコーニング株式会社製の硬度４０°と硬度５０°のシリコンゴムをブレンドして硬度４３°としたシリコンゴム原料を所定の形状の金型に流し込み、ゴム成形プレス加工により１８０℃〜１９０℃の温度で１５分間〜１８分間加硫成形した後、所定の時間予熱したものであり、突起部２が中実で、且つ突起部２とベース板１の表面１ａとの境界周縁の全周に亘って肉厚部２ｄが形成されたことで、成形過程において突起部２の直下に凹部１ｅが形成されるものである。
【００３９】
上記構成によれば、弾力性を有するベース板１の表面１ａ側に設けられる弾力性を有する突起部２が中実で形成され、該突起部２の直下でベース板１の裏面１ｄ側に凹部１ｅが形成されたことで、弾力性を有する突起部２を押圧して可撓性のベース板１を浴槽内の壁面５等に押し付けることにより該突起部２直下の凹部１ｅ内が負圧となって吸盤作用が働き、可撓性マッサージ具Ａ（Ｂ）を浴槽内の壁面５等に容易に仮止めすることが出来、吸着作用をより高めることが出来る。他の構成は前記第１実施形態と同様に構成され、同様の効果を奏することが出来る。
【産業上の利用可能性】
【００４０】
本発明の活用例として、身体のツボを指圧してマッサージを行う可撓性マッサージ具及びそれを備えた可撓性マッサージ具セットに適用できる。
【符号の説明】
【００４１】
Ａ,Ｂ    …可撓性マッサージ具
Ｐａ  …縦列ピッチ
Ｐｂ  …横列ピッチ
ｄ    …直径
ｈ…高さ
１    …ベース板
１ａ  …表面
１ｂ  …挿入穴
１ｂ１ …円形孔
１ｂ２ …スリット穴
１ｃ  …貫通孔
１ｄ  …裏面
１ｅ  …凹部
２    …突起部
２ａ  …本体部
２ｂ  …先端部
２ｃ  …曲面部
２ｄ  …肉厚部
３    …吸盤
３ａ  …軸部
４    …紐部材
５    …壁面
【図１】
2011062509.tif 000003
【図２】
2011062509.tif 000004
【図３】
2011062509.tif 000005
【図４】
2011062509.tif 000006
【図５】
2011062509.tif 000007
【図６】
2011062509.tif 000008